(57)【要約】【課題】  ごみを掃き入れて保管するちり取りに係り、ちり取り本体の構造を改善して、本体にごみが掃き入れられた状態で本体から柄を折りたたんだ後にちり取りを立てても本体の閉塞空間に掃き入れられたごみが外部にこぼれないようにする柄折りたたみ式のちり取りを提供する。【解決手段】  本発明は、回収部１１を有する本体１０の後端に上部まで延びて閉塞空間１２が形成されるように上部の面１３を本体１０と一体に形成し、前記上部の面１３の開口部の先端の中心部には柄５０の固定された回動片２０を回動自在に軸結合するとともに、本体１０には回動片２０の直径よりも小さな幅の挿入部４１が形成され、挿入部４１の先端には傾斜面４３の形成された弾性支持片４０を一体に形成し、前記回動片２０には柄５０を垂直に立てたときに弾性支持片４０の上面に接続される一対の押圧突起２４を形成したことを特徴とする。【選択図】  図１
2020195761.tif 000002
【特許請求の範囲】
【請求項１】
回収部を有する本体の後端に上部まで延びて閉塞空間が形成されるように本体と一体に上部の面が形成され、前記上部の面の開口部の先端の中心部には柄の固定された回動片が回動自在に結合される軸が形成され、前記軸の形成された本体には回動片の直径よりも小さな幅の挿入部が形成され、前記挿入部の先端には傾斜面の形成された弾性支持片が一体に形成され、前記回動片には柄を垂直に立てたときに弾性支持片の上面に接続される一対の押圧突起が形成されることを特徴とする柄折りたたみ式のちり取り。
【請求項２】
前記回動片の下部に位置する上部の面に少なくとも１つ以上の切り欠き部が形成され、前記回動片の下部には軸の厚み部よりも狭い幅にて切り欠かれた挿入部と前記軸の幅部よりも小さな軸孔を有する回転棒とが形成され、前記回転棒の左右の両側には切り欠き部の底面に接触されながら柄を立てたり折りたたんだりする場合に作動感を感じさせる接触突起と、前記柄を折りたたんだときに切り欠き部の終端に引っ掛かって柄の折りたたみ角度を制御するストッパーが一体に形成されることを特徴とする請求項１に記載の柄折りたたみ式のちり取り。
【請求項３】
前記上部の面の中心に回動片が位置するように対向している垂直壁が一体に形成され、前記垂直壁の間には両端が丸みを帯びたリブ状の軸が４５°傾くように本体と一体に形成され、前記回動片の下部には軸の厚み部よりも狭い幅にて挿入部が切り欠かれ、前記軸の幅部よりも小さな軸孔を有する回転棒が一体に形成されることを特徴とする請求項１に記載の柄折りたたみ式のちり取り。
【請求項４】
回収部を有する本体の後端に閉塞空間が形成されるように上部まで延びて本体と一体に上部の面が形成され、前記上部の面の開口部の先端の中心部には柄の固定された回動片が位置するように対向している垂直壁を有する切り欠き部が刻設され、前記切り欠き部の垂直壁と垂直壁との間には両端が丸みを帯びたリブ状の軸が４５°傾くように本体と一体に形成され、前記切り欠き部の上部には柄の固定された回動片の直径よりも小さな幅の挿入部が形成され、前記挿入部の先端には傾斜面が形成された弾性支持片が本体に一体に形成され、前記回動片の下部には軸の厚み部よりも狭い幅にて切り欠かれた挿入部と前記軸の幅部よりも小さな軸孔を有する回転棒とが形成され、前記回転棒の左右の両側には切り欠き部の底面に接触されながら柄を立てたり折りたたんだりする場合に作動感を感じさせる接触突起と前記柄を折りたたんだときに切り欠き部の終端に引っ掛かって柄の折りたたみ角度を制御するストッパーとが一体に形成され、前記ストッパーと接触突起を有する回転棒が下部に形成された回動片の上部には柄を垂直に立てたときに弾性支持片の上面に接続される一対の押圧突起が形成され、前記回動片の下部に位置する上部の面には少なくとも１つ以上の切り欠き部が形成されることを特徴とする柄折りたたみ式のちり取り。
【発明の詳細な説明】
【技術分野】
【０００１】
本発明は、ごみを掃き入れて保管するちり取りに係り、さらに詳しくは、ちり取り本体の構造を改善して、本体にごみが掃き入れられた状態で本体から柄を折りたたんだ後にちり取りを立てても本体の閉塞空間に掃き入れられたごみが本体の外部にこぼれないようにする柄折りたたみ式のちり取りに関する。
【背景技術】
【０００２】
一般に、ちり取りは、部屋やリビングルームなどのホコリを清掃具で掃き入れて捨てる手段であって、様々な形状を呈するちり取りが実用レベルに至っているのが現状である。
【０００３】
ここで、従来のちり取りは、通常、清掃具を用いて掃き集めたり、部屋、室内などに存在するごみを掃き入れたりする所定の空間を有するちり取り本体と、前記ちり取り本体にごみが掃き入れられるように前記ちり取り本体を把持する取っ手と、を備えてなる。
【０００４】
この種の従来のちり取りは、ちり取り本体の一方の側に突き出るように取っ手が固設された構造に形成されて、使用者が取っ手を把持して部屋やリビングルームなどに残存するホコリを掃き集めてちり取り本体に掃き入れてごみ箱に捨てる上で用いられている。
【０００５】
しかしながら、かような従来のちり取りは、ちり取り本体の一方の側に突き出るように取っ手が固設されているため、使用者が把持して動ける所定の空間が求められて、部屋や室内の壁、隅角などに掃き集めたごみをちり取り本体に収容させる上で不便さが生じることはもとより、清掃具により掃き集められたごみ及びホコリなどを使用者がちり取りに掃き入れるためには、使用者が身体を曲げた状態で行うことを余儀なくされるが故に、ちり取りの使用に当たって不便さを感じてしまうという問題があった。
【先行技術文献】
【特許文献】
【０００６】
【特許文献１】大韓民国登録特許公報第１０−１２２１０９０号（２０１３年１月４日付けで登録）
【特許文献２】大韓民国登録実用新案公報第２０−０４５４９２１号（２０１１年７月２９日付けで登録）
【特許文献３】大韓民国登録実用新案公報第２０−０２９４６８９号（２００２年１０月３０日付けで登録）
【発明の概要】
【発明が解決しようとする課題】
【０００７】
本発明は、前術したような従来の問題を解消するために案出されたものであり、清掃具により掃き集められたごみ又はホコリをちり取りの閉塞空間に収容し易くするとともに、本体にごみが掃き入れられた状態で本体から柄を折りたたんだ後にちり取り本体を立てても本体に掃き入れられたごみが外部に吹き飛ばされたりごぼれたりしないようにする柄折りたたみ式のちり取りを提供するところにその目的がある。
【０００８】
本発明の他の目的は、本体から柄を折りたたんだり拡開させたりする動作を片手で簡単に行えるようにするところにある。
【課題を解決するための手段】
【０００９】
上記の本発明の諸目的は、回収部１１を有する本体１０の後端に上部まで延びて閉塞空間１２が形成されるように本体１０と一体に上部の面１３が形成され、前記上部の面１３の開口部の先端の中心部には柄５０の固定された回動片２０が回動自在に結合される軸３０が形成され、前記軸３０の形成された本体１０には回動片２０の直径よりも小さな幅の挿入部４１が形成され、前記挿入部４１の先端には傾斜面４３の形成された弾性支持片４０が一体に形成され、前記回動片２０には柄５０を垂直に立てたときに弾性支持片４０の上面に接続される一対の押圧突起２４が形成されることを特徴とする柄折りたたみ式のちり取りにより達成される。
【００１０】
一方、前記回動片２０の下部に位置する上部の面１３に少なくとも１つ以上の切り欠き部１５が形成され、前記回動片２０には柄５０を折りたたんだときに切り欠き部１５の終端に引っ掛かりつつ柄５０の折りたたみ角度を制御するストッパー２５が一体に形成されることが好ましい。
【００１１】
なお、前記上部の面１３の中心に回動片２０が位置するように対向している垂直壁１４が一体に形成され、前記垂直壁１４の間には両端が丸みを帯びたリブ状の軸３０が４５°傾くように本体１０と一体に形成され、前記回動片２０の下部には軸３０の厚み部３１よりも狭い幅にて切り欠かれた挿入部２２と前記軸３０の幅部３２よりも小さな軸孔２３を有する回転棒２１とが一体に形成されて、柄５０の固定された回動片２０を軸３０に４５°にて組み付けたり取り外したりすることがさらに好ましい。
【００１２】
また、本発明の諸目的は、回収部１１を有する本体１０の後端に閉塞空間１２が形成されるように上部まで延びて本体１０と一体に上部の面１３が形成され、前記上部の面１３の開口部の先端の中心部には柄５０の固定された回動片２０が位置するように対向している垂直壁１４を有する切り欠き部１５が刻設され、前記切り欠き部１５の垂直壁１４と垂直壁１４との間には両端が丸みを帯びたリブ状の軸３０が４５°傾くように本体１０と一体に形成され、前記切り欠き部１５の上部には柄５０の固定された回動片２０の直径よりも小さな幅の挿入部４１が形成され、前記挿入部４１の先端には傾斜面４３が形成された弾性支持片４０が本体１０に一体に形成され、前記回動片２０の下部には軸３０の厚み部よりも狭い幅にて切り欠かれた挿入部２２と前記軸３０の幅部３２よりも小さな軸孔２３を有する回転棒２１とが形成され、前記回転棒２１の左右の両側には切り欠き部１５の底面に接触されながら柄５０を立てたり折りたたんだりする場合に作動感を感じさせる接触突起２６と前記柄５０を折りたたんだときに切り欠き部１５の終端に引っ掛かって柄５０の折りたたみ角度を制御するストッパー２５とが一体に形成され、前記ストッパー２５と接触突起２６を有する回転棒２１が下部に形成された回動片２０の上部には柄５０を垂直に立てたときに弾性支持片４０の上面に接続される一対の押圧突起２４が形成され、前記回動片２０の下部に位置する上部の面１３には少なくとも１つ以上の切り欠き部１５が形成されることを特徴とする柄折りたたみ式のちり取りにより達成される。
【発明の効果】
【００１３】
本発明によれば、本体の上面に上部の面が一体に形成されて閉塞空間が形成されることにより、少量の軽いごみを回収して本体を立てるときにごみが閉塞空間からこぼれないので、ちり取り本体にごみを掃き入れる度に捨てるといった厄介さを解消することができるという効果がある。
【００１４】
一方、回動片に形成されて軸に結合される回転棒の軸孔径が軸の幅部よりも小さく形成され、回転棒に挿入部が形成されて、柄を立てたり折りたたんだりするときに別途の固定手段を備えなくても柄が垂直状態及び折りたたみ状態を安定して保つことが可能になるという効果がある。
【００１５】
また、本体と一体に形成された上部の面の先端の上部に柄が折りたたみ自在に設けられていることにより、ちり取りの重心がいずれか片側に偏らないだけではなく、回収部の入り口を底面に密着させることが可能になるので、ちり取りの使い勝手がよくなる。
【００１６】
一方、別途のリンク機構を設けることなく、本体の上部の面に柄を回動片により直接的に回動自在に設けて、ちり取りを使用するときには柄を垂直に立てて使用し、保管するときには柄を折りたたんだ後に本体を立てて保管するので、ちり取りの保管に伴う占有面積を最小化させることが可能になるなどの効果が奏される非常に役立つ発明である。
【図面の簡単な説明】
【００１７】
【図１】図１は、本発明のちり取りの構成を示す分解斜視図である。
【図２】図２は、本発明のちり取りの組み立て状態を示す斜視図である。
【図３ａ】本発明における回動片の回動状態に応じて、軸により回転棒が収縮する状態を示す縦断面図である。
【図３ｂ】本発明における回動片の回動状態に応じて、軸により回転棒が拡張する状態を示す縦断面図である。
【図４ａ】本発明の使用状態を示す縦断面図である。
【図４ｂ】本発明の使用状態を示す縦断面図である。
【図５】図５は、本発明の軸を示す側断面図である。
【発明を実施するための形態】
【００１８】
以下、添付図面に基づいて、本発明の実施形態について本発明が属する技術分野において通常の知識を有する者が容易に実施できるように詳しく説明する。本発明は、種々の異なる形態に具体化可能であり、ここで説明する実施形態に何ら限定されない。図面は、大まかに示されており、縮尺に合わせて示されていないということに留意されたい。図示の部分の相対的な寸法及び比率は、図面における明確性及び便宜性のためにその大きさが誇張されたり縮小されたりしており、任意の寸法は、単なる例示的なものに過ぎず、限定的なものではない。なお、２以上の図面に示されている同一の構造物、要素又は部品には同じ参照符号が類似の特徴を示すために付される。
【００１９】
図１は、本発明のちり取りの構成を示す分解斜視図であり、図２は、図１の組み立て状態の斜視図であり、図３ａ及び図３ｂは、本発明における回動片の回動状態に応じて、軸により回転棒が拡張したり収縮したりする状態を示す縦断面図であり、 図４ａ及び図４ｂは、 本発明の使用状態を示す縦断面図である。本発明は、回収部１１を有する本体１０の後端に上部まで延びて閉塞空間１２が形成されるように上部の面１３が本体１０と一体に形成されており、前記上部の面１３の開口部の先端の中心部には回動片２０が位置するように対向している垂直壁１４が一体に形成されており、前記垂直壁１４の間には両端が丸みを帯びたリブ状の軸３０が４５°傾くように本体１０と一体に形成されている。
【００２０】
前記垂直壁１４の間に本体１０と一体に形成される軸３０は、図３ａに示すように、厚み部３１は薄く、且つ、幅部３２は広い形状を呈している。
【００２１】
このとき、前記軸３０は、図５に示すように、中央部は広く、且つ、外側部は狭いタイプの長楕円状に形成されている。
【００２２】
また、本体１０に形成された垂直壁１４の上部には、弾性支持片４０が本体１０と一体に形成されている。
【００２３】
前記弾性支持片４０には回動片２０の直径よりも小さな幅の挿入部４１が形成されており、前記挿入部４１の入り口には両側に延びる傾斜案内片４２が形成されており、挿入部４１の先端には傾斜面４３が形成される。
【００２４】
このとき、前記弾性支持片４０の下部には強度を補うためのリブ４４が一体に形成されている。
【００２５】
前記垂直壁１４の間に形成された軸３０に結合され、取っ手５１を有する柄５０が固定される回動片２０の下部に回転棒２１が一体に形成されているが、前記回転棒２１には軸３０の厚み部３１よりも狭い幅にて挿入部２２が切り欠かれており、軸３０の幅部３２よりも小さな軸孔２３が形成されているため、柄５０の固定された回動片２０を軸３０に４５°にて組み付けたり取り外したりする。
【００２６】
さらに、前記回転棒２１の左右の両側には、切り欠き部１５の底面１５ａに接触されながら柄５０を立てたり折りたたんだりする場合に作動感を感じさせる接触突起２６が形成されている。
【００２７】
一方、前記回動片２０には、柄５０を垂直に立てたときに弾性支持片４０の上面に接続される一対の押圧突起２４が形成されている。
【００２８】
さらにまた、前記回動片２０の下部に位置する上部の面１３には少なくとも１つ以上の切り欠き部１５が形成されており、前記回動片２０には、柄５０を折りたたんだときに切り欠き部１５の終端に引っ掛かって柄５０の折りたたみ角度を制御するストッパー２５が一体に形成されている。
【００２９】
本発明の一実施形態では、上部の面１３に２つの切り欠き部１５を開示し、回動片２０には前記切り欠き部１５の終端に引っ掛かる２つのストッパー２５を開示している。
【００３０】
前記垂直壁１４の両側に上部の面１３と一体に強度補強用の当て桟１６が形成されており、当て桟１６には清掃具（図示せず）にくっついた髪の毛などを取り除く異物除去片１７が形成されており、取っ手５１には清掃具を嵌めこんで保管するフック５２が一体に形成されている。
【００３１】
本発明の作用について延べると、下記の通りである。
【００３２】
先ず、図４ａに示すように、ちり取りの本体１０から柄５０が垂直に立てられた状態では、通常のちり取りのように、柄５０に固定された取っ手５１を把持した状態で使用することになる。
【００３３】
このような状態では、図３ｂに示すように、回動片２０の下部に形成された回転棒２１の挿入部２２が軸３０の厚み部３１とずれているため、軸孔２３が矢印の方向に拡張された状態を保つとともに、押圧突起２４が弾性支持片４０の上面に接続されているため、柄５０が立てられた状態を安定して保つことが可能になる。
【００３４】
したがって、清掃具を用いてごみを掃き集めた状態でちり取りの回収部１１を介してごみを掃き入れるために把持していた柄５０を下方に押下すると、回収部１１の入り口から柄５０が近くに位置しているため、回収部１１の入り口が平らに押されるため、本体１０に形成された回収部１１にごみを手軽に掃き入れることが可能になる。
【００３５】
図４ａに示す状態で、回収部１１に清掃具でごみを掃き入れて、掃き入れられたごみの量が多ければごみ箱に捨てるが、家庭や事務室などでは、特別な場合を除いては、一度に多量のごみが出ることがないため、回収された少量のごみを閉塞空間１２を用いて安全に保管することが可能になる。
【００３６】
すなわち、回収部１１にごみを回収した後に取っ手５１を把持した状態で柄５０を折りたたまれる方向に反らすと、弾性支持片４０が回動片２０により拡張されながら弾性支持片４０から回動片２０が係脱するとともに、軸３０に結合された回転棒２１が回転して挿入部２２が図３ａに示すように軸３０の厚み部３１に位置する地点で収縮されていて、持続される回転棒２１の回転により、挿入部２２が軸３０の幅部３２に位置する地点で図３ｂに示すように拡張されながら図４ｂに示すように折りたたまれる。
【００３７】
このとき、前記回動片２０に形成されたストッパー２５は、上部の面１３に形成された切り欠き部１５の内部に挿入されながら切り欠き部１５の終端に引っ掛かるため、柄５０の折りたたみ角度が制御される。
【００３８】
前術したような動作により、柄５０が折りたたまれた状態で回収部１１が底面に接していた本体１０を図４ｂに示すように立てると、回収部１１に掃き入れられたいた少量のごみが閉塞空間１２の内部に収容されるので、ちり取りからこぼれる現象が防がれるとともに、ちり取りの保管に伴う占有面積が最小化する。
【００３９】
前記本体１０が立てられた状態では、取っ手５１の下端に形成されたフック５２の内側に清掃具を嵌めこんで一緒に保管することができる。
【００４０】
一方、図４ｂに示すように、保管していたちり取りを用いてごみを入れたい場合には、本体１０に折りたたまれていた柄５０を図４ａに示すように垂直に拡開させなければならない。
【００４１】
これにより、取っ手５１を把持した状態で足で本体１０を押すと、前述したように、軸３０に外嵌されていた回転棒２１が回転しながら本体１０が拡開される。
【００４２】
前術したように、本体１０が拡開されるときには断面が円形状である回動片２０の外周面により弾性支持片４０が拡張されながら弾性支持片４０の内部に回動片２０が挿入されるが、挿入部４１の入り口には弾性支持片４０から両側に延びる傾斜案内片４２が一体に形成されており、前記挿入部４１の先端の上部には傾斜面４３が形成されているため、回動片２０により弾性支持片４０が広げられながら回動片２０がよりスムーズに弾性支持片４０の内部に挿入される。
【００４３】
前記回動片２０が弾性支持片４０の内部に挿入されてからは、両側に広げられていた弾性支持片４０が自体の復元力により初期の状態に戻りながら回動片２０を包み込むとともに、回動片２０に形成された押圧突起２４が弾性支持片４０の上面に接続されて押圧するため、柄５０が安定して立てられた状態を保つことになり、これにより、回収部１１にごみを掃き入れることが可能になる。
【００４４】
このような本発明は、柄５０を垂直状態に立てたり、折りたたんだときに回転棒２１の軸孔２３が軸３０の幅部３２により拡張されて支持されるので、別途の固定手段を備えなくても停止した状態を保つのである。
【００４５】
このとき、前記軸３０は、図５に示すように、中央部は広く、且つ、外側部は狭いタイプの長楕円状に形成されて、前記軸３０に回転棒２１の軸孔２３が挿入部２２を介して挿入された状態を保つのである。
【００４６】
一方、前記柄５０を垂直状態に立てたり、折りたたんだりする場合には、回転棒２１の左右の両側に形成された接触突起２６の外側面が切り欠き部１５の底面１５ａに接触された状態で回転が行われながら柄５０が立てられたり折りたたまれたりするので、前記柄５０を立てたり折りたたんだりする場合、使用者が作動感を感じながら柄５０を立てたり折りたたんだりすることが可能になる。
【００４７】
以上、添付図面に基づいて本発明の実施形態について説明したが、本発明が属する技術分野において通常の知識を有する者は、技術的な思想や必須的な特徴を変更することなく、他の具体的な形態で実施可能であるということが理解できる筈である。
【００４８】
よって、上述した実施形態は、あらゆる面において例示的なものに過ぎず、限定的ではないものと理解すべきであり、上記の詳細な説明の欄において記述された本発明の範囲は、特許請求の範囲によって表わされ、特許請求の範囲の意味及び範囲、並びにその均等概念から導き出されるあらゆる変更または変形された形態が本発明の範囲に含まれるものと解釈されるべきである。
【符号の説明】
【００４９】
１０  本体
１１  回収部
１２  閉塞空間
１３  上部の面
１４  垂直壁
１５  切り欠き部
２０  回動片
２１  回転棒
２２、４１  挿入部
２３  軸孔
２４  押圧突起
２５  ストッパー
３０  軸
３１  厚み部
３２  幅部
４０  弾性支持片
４３  傾斜面
５０  柄
【図１】
2020195761.tif 000003
【図２】
2020195761.tif 000004
【図３ａ】
2020195761.tif 000005
【図３ｂ】
2020195761.tif 000006
【図４ａ】
2020195761.tif 000007
【図４ｂ】
2020195761.tif 000008
【図５】
2020195761.tif 000009